(57)【要約】【課題】対向ノード間に無線チャネルを新規に立ち上げて当該ノード間に無線リンクを新規に確立する無線リンクの確立方法を提供する。【解決手段】自ノードを「送信ノード」および「受信ノード」のいずれかとしてランダムに動作させる第１手順と、「送信ノード」として動作する際に、予め確保されている複数のＦＩＤｆ１〜ｆｎのいずれかを選択する第２手順と、選択されたＦＩＤでユニークワードを送信する送信側送信モードおよび送信側受信モードを当該順序で実行する第３手順と、前記第２および第３手順を所定回数だけ繰り返した後に前記第１手順へ戻る第４手順と、前記送信側受信モードにおいて応答信号を受信すると、当該応答信号を返信したノードとの間で同期確立処理を実行する第５手順とを含む。【選択図】        図６
2004266488.tif 000002
【特許請求の範囲】
【請求項１】
対向ノードとの間に、複数の周波数スロットのいずれかを利用してＴＤＤ方式の無線リンクを確立する無線リンクの確立方法において、
自ノードを「送信ノード」および「受信ノード」のいずれかとしてランダムに動作させる第１手順と、
「送信ノード」として動作する際に、予め確保されている複数の周波数スロットｆ１〜ｆｎのいずれかを選択する第２手順と、
前記選択された周波数スロットを利用してユニークワードを送信する送信側送信モードおよび応答信号を受信する送信側受信モードを当該順序で実行する第３手順と、
前記第２および第３手順を所定回数だけ繰り返した後に前記第１手順へ戻る第４手順と、
前記送信側受信モードにおいて応答信号を受信すると、当該応答信号を返信したノードとの間でリンク確立処理を実行する第５手順とを含み、さらに、
「受信ノード」として動作する際に、複数の周波数スロットｆ１〜ｆｎのいずれかを選択する第６手順と、
前記選択された周波数スロットを利用して受信側受信モードを実行する第７手順と、
前記第６および第７手順を所定回数だけ繰り返した後に前記第１手順へ戻る第８手順と、
前記受信側受信モードでユニークワードを受信すると応答信号を返信する第９手順と、
前記ユニークワードを送信したノードとの間でリンク確立処理を実行する第１０手順とを含むことを特徴とする無線リンクの確立方法。
【請求項２】
前記「受信ノード」として動作する際の第９手順が、
ユニークワードを受信して応答信号を所定期間だけ返信し続ける手順と、
その後、応答信号の返信を所定期間だけ停止する手順と、
その後、応答信号を再返信する手順とを含み、さらに、
前記「送信ノード」として動作する際の第５手順が、
前記応答信号の受信後に前記応答信号を受信できなくなり、その後、所定期間内に応答信号を受信できたときに、前記応答信号の送信元を正規の対向ノードと認定してリンク確立手順へ移行する手順を含むことを特徴とする請求項１に記載の無線リンクの確立方法。
【請求項３】
前記「受信ノード」として動作する際の第９手順が、
前記ユニークワードを受信した際の今回の周波数スロットが自ノードの他のリンクで使用中であるか否かを判定する手順と、
前記今回の周波数スロットが他のリンクで使用中であり、かつ当該リンクに他の周波数スロットによる無線チャネルが確立されていると、前記他のリンクから前記今回の周波数スロットの無線チャネルを削除する手順とを含むことを特徴とする請求項１または２に記載の無線リンクの確立方法。
【請求項４】
前記複数の周波数スロットｆ１〜ｆｎには優先度が付され、前記第２および第６手順では、優先度の高い周波数スロットから順に選択されることを特徴とする請求項１ないし３のいずれかに記載の無線リンクの確立方法。
【請求項５】
前記第１０手順の後に  対向ノードとの間でノードＩＤを交換する第１１手順と、
前記対向ノードのノードＩＤを既登録ＩＤと比較する第１２手順と、
前記比較結果に応じて所定の処理を実行する第１３手順とを含むことを特徴とする請求項１ないし４のいずれかに記載の無線リンクの確立方法。
【請求項６】
前記第１手順の前に、予め割り当てられている周波数スロットの個数Ｎと、各ノードで利用可能な最大リンク数Ｇｍａｘとが次の条件式（１）を満足しているか否かを判断する手順を含み、
当該条件式が満足されないときに、それ以降の手順を実行しないことを特徴とする請求項１ないし５のいずれかに記載の無線リンクの確立方法。
Ｎ＞２（Ｇｍａｘー１）  …  （１）
【請求項７】
前記請求項６の手順と第１手順との間に、未割当の周波数スロット数ｆと、チャネル数が「１」のリンクに割り当てられているチャネルで利用されているスロット数ｋとが次の条件式（２）を満足しているか否かを判断する手順を含み、
当該条件式が満足されないときに、複数のチャネルを含むリンクから少なくとも一つのチャネルを削除することを特徴とする請求項６に記載の無線リンクの確立方法。
ｆ＞ｋ                …  （２）
【発明の詳細な説明】
【０００１】
【発明の属する技術分野】
本発明は、対向ノード間に無線リンクを確立する方法に係り、特に、対向ノード間にＴＤＤ方式の無線チャネルを新規に立ち上げることにより無線リンクを新規に確立する無線リンクの確立方法に関する。
【０００２】
【従来の技術】
ＴＤＤ（Ｔｉｍｅ  Ｄｉｖｉｓｉｏｎ  Ｄｕｐｌｅｘ）方式とは、１つの周波数帯域（周波数スロット）において時間軸を一定周期で時分割し（タイムスロット）、これを上り／下りに割り当てることにより、上り回線と下り回線を実現するアクセス方式である。このようなＴＤＤは、ＴＤＭＡ（Ｔｉｍｅ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）等の多重化方式において一般に用いられている。
【０００３】
ＴＤＭＡ（Ｔｉｍｅ  Ｄｉｖｉｓｉｏｎ  Ｍｕｌｔｉｐｌｅ  Ａｃｃｅｓｓ）方式の無線通信システムにおいて、相互に対向するノード間に無線チャネルを立ち上げる技術として、特開平９−１１６４８３号公報には、基地局と移動局との間に無線チャネルを追加する技術が開示されている。ここでは、基地局から送信されるバースト信号を移動局が受信し、このバースト信号に含まれるユニークワードＵＷを検出する。そして、このユニークワードが所望のユニークワードＵＷと合致していれば、バースト信号の情報を読み出して基地局を発見し、通信を開始する。
【０００４】
【発明が解決しようとする課題】
ＴＤＭＡ／ＴＤＤ方式を採用した無線ネットワークでは、ネットワーク内の各ノードが利用できる複数の周波数スロット（ＦＩＤ）が予約されており、無線通信を行おうとする対向ノードは同一のＦＩＤを利用して送受信を行う必要がある。したがって、対向ノードが無線チャネルを新たに立ち上げるのであれば、そのためのネゴシエーションも、同一のＦＩＤを利用して送受信を行わなければならない。このために、上記した従来技術を含めて、現在開発されている無線チャネルの追加手法は、少なくとも一つの無線チャネルを含む無線リンクが確立されている状態から、さらに別の無線チャネルを追加する技術であり、無線チャネルが存在しない状態、すなわち無線リンクが確立されていない状態から無線チャネルを新規に立ち上げて無線リンクを新たに確立するためには、周波数スロットやＴＤＤバウンダリなどを予め固定的に定めておく必要がある。
【０００５】
しかしながら、メッシュ状にネットワークを構成するシステムでは、実際のメッシュの形状が一様ではないため、干渉量を考慮して適切に周波数スロットを選択することが難しい。さらに、リンクに複数の無線チャネルを動的に追加・削除するようなシステムでは、周辺のリンクで使用されている周波数スロットが動的に変化するために、周波数スロットを静的に一意には決定できない。また、リンクの立ち上げ用に専用の周波数スロットを予め確保しておく方法も提案されているが、リンクの立ち上げ頻度を勘案すると資源の無駄遣いになってしまう。
【０００６】
このような技術的背景から、例えば電源投入などによりリンク確立を指示するだけで、対向ノード間での周波数スロットやＴＤＤバウンダリを意識することなく、無線リンクを新規に確立できるシステムが望まれている。
【０００７】
本発明の目的は、上記した従来技術の課題を解決し、無線リンクが確立されていない対向ノード間に無線チャネルを新規に立ち上げて当該ノード間に無線リンクを新規に確立する無線リンクの確立方法を提供することにある。
【０００８】
【課題を解決するための手段】
上記した目的を達成するために、本発明は、対向ノードとの間に無線リンクを確立する無線リンクの確立方法において、自ノードを「送信ノード」および「受信ノード」のいずれかとしてランダムに動作させる第１手順と、「送信ノード」として動作する際に、予め確保されている複数の周波数スロットｆ１〜ｆｎのいずれかを選択する第２手順と、前記選択された周波数スロットを利用してユニークワードを送信する送信側送信モードおよび応答信号を受信する送信側受信モードを当該順序で実行する第３手順と、前記第２および第３手順を所定回数だけ繰り返した後に前記第１手順へ戻る第４手順と、前記送信側受信モードにおいて応答信号を受信すると、当該応答信号を返信したノードとの間でリンク確立処理を実行する第５手順とを含み、さらに、「受信ノード」として動作する際に、複数の周波数スロットｆ１〜ｆｎのいずれかを選択する第６手順と、前記選択された周波数スロットを利用して受信側受信モードを実行する第７手順と、前記第６および第７手順を所定回数だけ繰り返した後に前記第１手順へ戻る第８手順と、前記受信側受信モードでユニークワードを受信すると応答信号を返信する第９手順と、前記ユニークワードを送信したノードとの間でリンク確立処理を実行する第１０手順とを含むことを特徴とする。
【０００９】
上記した特徴によれば、各無線ノードがランダムかつ非同期に送信ノードまたは受信ノードとして繰り返し動作する。そして、送信ノードとして動作するノードは、予約されている複数の周波数スロットを切り換えながらユニークワードの送信動作およびその受信動作を実行する。受信ノードとして動作するノードは、同じく予約されている複数の周波数スロットを切り換えながらユニークワードの受信動作を実行する。したがって、上記動作を繰り返すうちに、相互に対向する一対のノードが、同一の周波数スロットを使用して、一方が送信ノードとして動作し、他方が受信ノードとして動作し、かつ送信ノードにおけるユニークワードの送信期間と受信ノードにおけるユニークワードの受信期間とが重なる期間が確率的に存在する。そして、この期間を利用すれば両者が無線チャネルの立ち上げに必要な情報を送受できるので、ＦＩＤやＴＤＤバウンダリを予め固定的に定義することなく、無線リンクが確立されていないノード間に無線チャネルを確保して当該ノード間に無線リンクを新規に確立できる。
【００１０】
【発明の実施の形態】
以下、図面を参照して本発明の好ましい実施の形態について詳細に説明する。図１は、本発明が適用される無線ネットワークの一部を抜き出して示した図であり、複数の固定無線ノードＡ，Ｂ，Ｃ，Ｄ，Ｅ…が所定の間隔で分散配置されている。無線ノードＡに着目すると、これに隣接して無線ノードＢ，Ｃ，Ｄ，Ｅが配置されている。無線ノードＡには各無線ノードＢ，Ｃ，Ｄ，Ｅに向けて、パラボラアンテナ等の指向性の鋭いアンテナＡＴ１，ＡＴ２，ＡＴ３，ＡＴ４がそれぞれ設けられている。無線ノードＡの各アンテナＡＴ１，ＡＴ２，ＡＴ３，ＡＴ４は、隣接する各無線ノードＢ，Ｃ，Ｄ，Ｅのそれぞれに設けられたアンテナと対向し、それぞれＴＤＤ方式の無線リンクＬ１，Ｌ２，Ｌ３，Ｌ４を確立する。
【００１１】
図２は、各無線ノードの主要部の構成を示したブロック図であり、各ノードは、屋外無線装置２および屋内無線装置３を含む。屋外無線装置２は複数の屋外無線ユニット２１（＃１〜＃４）を含む。屋内無線装置３は、複数の無線チャネルユニット３３（＃１〜＃４）、前記各無線チャネルユニット＃１〜＃４と無線リンクＬ１〜Ｌ４とを対応づけるスイッチ３１、および各無線チャネルユニット＃１〜＃４に周波数スロット（ＦＩＤ）を割り当てる無線チャネルマネージャ３２を含む。各無線チャネルユニット＃１〜＃４は、割り当てられたＦＩＤを利用してＴＤＤ方式の無線チャネルを対応ノードとの間に立ち上げる。
【００１２】
次いで、対向する無線ノード間に無線リンクを新規に確立する場合の各無線ノードの動作を、図３に示したように、相互に対向する無線ノードＡ，Ｂ間に無線リンクＬ１を新規に確立する場合を例にして説明する。
【００１３】
図４，５，６は、本実施形態の動作を示したフローチャートであり、図７は、そのタイミングチャートである。
【００１４】
ノードＡでは、図７の時刻ｔ１１においてリンク確立スイッチが投入されると、図４のステップＳ１において、無線チャネルマネージャ（ＣＨＭ）３２によりイニシャル処理が実行される。このイニシャル処理では、後に詳述するように、現在の他の無線リンクにおける無線チャネルの利用状況に基づいて、新規に無線チャネルを立ち上げられる条件が整っているか否かが予め判断される。そして、空きスロット不足が原因で無線チャネルの新規立ち上げ条件が整っていない場合に、複数のチャネルを含むリンクから一部のチャネルを削除して空きスロットを確保したり、空きスロットを確保できない場合に当該処理を中断するなどの前処理が実行される。ここでは、新規に無線チャネルを立ち上げられる条件が整っているものとして説明を続ける。
【００１５】
ステップＳ２では、無線チャネルマネージャ３２が自ノードの今回の動作パターンを「送信ノード」および「受信ノード」のいずれかにランダムに決定し、その結果を対応する無線チャネルユニット（ＣＨＵ）３３へ通知する。動作パターンの決定はノード単位で行われ、複数の無線チャネルユニットが無線チャネルを同時に立ち上げようとする場合には、全ての無線チャネルユニットが「送信ノード」および「受信ノード」のいずれかに振り分けられる。
【００１６】
このように、本実施形態では無線チャネルを立ち上げようとするリンクが複数ある場合には、全ての無線チャネルユニットが「送信ノード」および「受信ノード」のいずれかに振り分けられて一斉にリンク確立処理を実行するので、周波数スロットが確定するまでの時間を短縮できる。
【００１７】
ステップＳ３では、前記ステップＳ２で決定された今回の動作パターンが判別され、「送信ノード」であれば図５のステップＳ４へ進み、「受信ノード」であれば図６のステップＳ２０へ進む。ここでは、ノードＡが「送信ノード」に決定されたものとして図５のステップＳ４へ進む。
【００１８】
ステップＳ４では、予約されている複数のＦＩＤ（ここでは、Ｆ１〜Ｆ７）から、いずれのリンクにも未だ割り当てられていない未割当のＦＩＤの全てが、新規に確立しようとするリンクＬ１に割り当てられるＦＩＤの候補（以下、「割当候補」と表現する場合もある）として選択される。ステップＳ５では、選択された複数の割当候補の中から、別途に定められたデフォルト周波数プランで定義された優先順位に基づいて、優先度の最も高いＦＩＤが、今回のユニークワード送信用のＦＩＤとして選択され、ノードＢに対応する無線チャネルユニットへ通知される。
【００１９】
本実施形態では、図８に示したように、７つのＦＩＤ（Ｆ１〜Ｆ７）の優先度がデフォルト周波数プランで定義されており、その優先順位はＦ４＞Ｆ２＞Ｆ７＞Ｆ５＞Ｆ３＞Ｆ６＞Ｆ１である。したがって、全てのＦＩＤが未割当ならば、優先度の最も高いＦＩＤ（Ｆ４）が今回のＵＷ送信用ＦＩＤとして選択される。なお、無線リンクを新規に確立しようとしている無線チャネルユニット（ＣＨＵ）が複数存在する場合には、リンク間の干渉を避けるために、ステップＳ５では、無線チャネルユニット（ＣＨＵ）ごとに異なるＦＩＤが選択される。
【００２０】
ステップＳ６では、選択されたＦＩＤ（ここでは、Ｆ４）を利用して、フレームの全期間にわたってユニークワードＵＷを送信する全送信モード（Ｔｘ）が起動（時刻ｔ１２）され、ユニークワードＵＷが１フレーム分だけ連続的に送信される。１フレーム分の送信動作を完了すると、ステップＳ７では、フレームの全期間にわたってユニークワードＵＷの受信に備える全受信モード（Ｒｘ）が起動（時刻ｔ１３）され、これが所定の複数フレーム分だけ継続される。
【００２１】
ステップＳ８では、前記全受信モード（Ｒｘ）の期間中に前記ユニークワードＵＷに対する応答信号ＡＣＫ（ＵＷ）が受信されたか否かが判定される。応答信号ＡＣＫ（ＵＷ）を受信できなければステップＳ５へ戻り、ＦＩＤを現在のＦ４から次に優先度の高いＦ２に切り換えて（時刻ｔ１４）、前記と同様に、ユニークワードＵＷの全送信モード（Ｔｘ）および全受信モード（Ｒｘ）を順次起動する。
【００２２】
一方、ノードＢでは、図７の時刻ｔ２１でリンク確立スイッチが投入されると、図４のステップＳ１において、後述するイニシャル処理を実行した後、ステップＳ２において、前記ノードＡと同様に、自ノードの今回の動作パターンを「送信ノード」および「受信ノード」のいずれかにランダムに決定する。ステップＳ３では今回の動作パターンが判別され、ここでは「受信ノード」に決定されたものとして図６のステップＳ２０へ進む。
【００２３】
ステップＳ２０では、予約されている複数のＦＩＤ（Ｆ１〜Ｆ７）の中から、未割当のＦＩＤ、および複数のチャネルから構成されるリンクのいずれかのチャネルで運用されており、かつ複数のリンクで共有されていないＦＩＤが割当候補として選択される。ステップＳ２１では、選択された複数の割当候補の中から、優先度の最も高いＦＩＤ（本実施形態では、Ｆ４）が今回のユニークワード受信用のＦＩＤとして選択される。
【００２４】
なお、「受信ノード」として動作するノードＢでは、前記「送信ノード」として動作するノードＡとは異なり、無線リンクを新規に確立しようとしている無線チャネルユニット（ＣＨＵ）が複数存在する場合でも、全ての無線チャネルユニット（ＣＨＵ）で同一のＦＩＤが選択される。これにより、ユニークワードＵＷの誤検出が最小限に抑えられる。
【００２５】
ステップＳ２２では、選択されたＦＩＤを利用して、フレームの全期間にわたってユニークワードＵＷの受信に備える全受信モード（Ｒｘ）が起動（時刻ｔ２２）される。なお、今回のＦＩＤが自ノードの他のリンクで運用中ならば、この運用チャネルからの干渉を避けるために、運用チャネルとＴＤＤバウンダリおよびその送受信タイミングを一致させることが望ましい。
【００２６】
ステップＳ２３では、ユニークワードＵＷの受信の有無が判定される。図７に示した例では、この時点でノードＡのＦＩＤがＦ２に切り替わっており、両者のＦＩＤが一致しないので、ノードＢではユニークワードＵＷを受信できない。したがってステップＳ３５へ進み、全受信モード（Ｒｘ）が所定期間だけ経過したか否かが判定される。最初は所定期間が未だ経過していないと判定されるのでステップＳ２３へ戻り、前記全受信モード（Ｒｘ）が継続される。
【００２７】
その後、時刻ｔ１５でノードＡのＦＩＤがＦ４に切り替わり、ユニークワードＵＷの送信が開始されると、ノードＢはＦＩＤがＦ４の全受信モード中なので、ステップＳ２３において当該ユニークワードＵＷを受信（時刻ｔ２３）してステップＳ２４へ進む。ステップＳ２４では、今回のＦＩＤ（Ｆ４）が他のリンクにおいて既に運用中であるか否かが判定される。運用中でなければステップＳ２５へ進み、当該ユニークワードＵＷに対して応答信号ＡＣＫ（ＵＷ）を返信し続ける（時刻ｔ２４〜ｔ２５）。
【００２８】
これに対して、今回のＦＩＤ（Ｆ４）が他のリンクにおいて既に運用中であればステップＳ３８へ進み、ＴＤＤバウンダリおよびその送受信タイミングを前記運用中のチャネルに合わせたうえで応答信号ＡＣＫ（ＵＷ）を返信する。ステップＳ３９では、前記運用中のチャネルを削除する「チャネル削除処理」が実行される。
【００２９】
この「チャネル削除処理」では、今回のＦＩＤ（Ｆ４）と同一のＦＩＤで運用中のチャネルを含むリンクに他のＦＩＤによるチャネルも確立されているか否か、すなわちＦＩＤの異なる他のチャネルが並列的に確立されているか否かを判別し、他のチャネルが確立されているならば、前記Ｆ４以外のＦＩＤで運用中のチャネルが削除される。他のチャネルが確立されていなければ、今回のＦＩＤ（Ｆ４）によるチャネル確立を中止してステップＳ２１へ戻る。
【００３０】
ステップＳ２６では、一定期間（時刻ｔ２５〜ｔ２６）だけ応答信号ＡＣＫ（ＵＷ）の送信を停止する。ステップＳ２７では、無線チャネルマネージャ３２から無線チャネルユニット３３に対して同期マスタとしての動作が指示され、この無線チャネルユニットが同期マスタへ移行する。ステップＳ２８では、同期確立用のユニークワードＵＷ（ＳＹＮ）を送信して同期確立処理を実行する。
【００３１】
なお、今回のＦＩＤによる全受信モードが所定期間を経過してもユニークワードＵＷを受信できない場合にはステップＳ２３，Ｓ３５を経由してステップＳ３６へ進み、前記ステップＳ２０で選択された割当候補の全てのＦＩＤに関して前記ステップＳ２１〜Ｓ２３、Ｓ３５の各処理が実行されたか否かが判定される。各処理を実行していないＦＩＤが存在すれば、ステップＳ２１へ戻って次のＦＩＤを選択し、上記したステップＳ２１〜Ｓ２３、Ｓ３５の各処理を繰り返す。
【００３２】
図５へ戻り、このとき送信ノードとして動作中のノードＡは、ノードＢが前記ステップＳ２５で返信した応答信号ＡＣＫ（ＵＷ）をステップＳ８で受信（時刻ｔ１６）すると、ステップＳ９では、各無線チャネルユニットに対して全受信モードの継続が指示される。ステップＳ１０では、前記応答信号ＡＣＫ（ＵＷ）の受信から所定の期間内に当該応答信号ＡＣＫ（ＵＷ）を受信できなくなったか否かが判定される。この応答信号ＡＣＫ（ＵＷ）が正規の対向ノードＢから返信されていれば、ノードＢが前記ステップＳ２６で応答信号ＡＣＫ（ＵＷ）の送信を一時的に停止し、したがって、ノードＡでは当該応答信号ＡＣＫ（ＵＷ）を受信できなくなるのでステップＳ１１へ進む。
【００３３】
ステップＳ１１では、前記応答信号ＡＣＫ（ＵＷ）が受信できなくなってから所定期間内に同期確立用のユニークワードＵＷ（ＳＹＮ）を受信できたか否かが判定される。前記応答信号ＡＣＫ（ＵＷ）が正規の対向ノードＢから返信されたものであれば、ノードＢが前記ステップＳ２８で同期確立用のユニークワードＵＷ（ＳＹＮ）を送信し、これを受信できるのでＳ１２へ進む。ステップＳ１２では、ノードＡの各無線チャネルユニットに同期スレーブでの動作が指示される。ステップＳ１３では、ノードＢとの間で同期確立処理が実行される。
【００３４】
同期確立処理が終了すると、ノードＡ，Ｂのいずれにおいても、ステップＳ１４（Ｓ２９）において同期が確立されたか否かが判定され、同期が確立されれば、ステップＳ１５（Ｓ３０）でノードＩＤを交換し合う。ステップＳ１６（Ｓ３１）では、ノードＩＤが既登録であるか否か、および既登録であれば受信したノードＩＤと既登録のノードＩＤとが一致するか否かが判定される。そして、ノードＩＤが未登録、または一致すると判断されれば当該処理を終了する。なお、ノードＩＤが不一致と判断されれば、ステップＳ１７（Ｓ３２）においてアラームが出力される、あるいは送信を停止してリンクを切断する。
【００３５】
このように、本実施形態によればノードＩＤの交換手順が追加されているので、例えばリンク確立後に降雨減衰等によりリンクが遮断され、その後、リンクを再確立する場合でも、相手ノードが正規の対向ノードであるか否かを確実に認識できるようになる。
【００３６】
次いで、前記図４のステップＳ１で実行されるイニシャル処理について説明する。図９はイニシャル処理の手順を示したフローチャートであり、ここでは、無線ノードＡ，Ｂが自ノードを一端として確立できる無線リンクの最大値Ｇｍａｘが「４」であるものとして説明する。
【００３７】
ステップＳ１０１では、無線リンクの新規確立に必須の「第１条件」が成立しているか否かが判定され、ここでは、利用可能なＦＩＤ数を「Ｎ」としたときに、次式（１）の条件が成立しているか否かが判定される。そして、「条件１」が成立すれば、リンクを立ち上げるＦＩＤが少なくとも一つは存在するのでステップＳ２へ進み、「条件１」が成立しなければ、無線リンクの新規立ち上げが不可能な場合が有り得ると判断して当該処理を直ちに終了する。
【００３８】
Ｎ＞２（Ｇｍａｘ−１）  …  （１）
【００３９】
すなわち、図３に示したように、Ｇｍａｘが「４」であるときに前記条件（１）が成立せず、利用可能なＦＩＤ数Ｎが「６」（：Ｆ１〜Ｆ６）であると、図１０に示したように、ノードＡのリンクＬａがＦＩＤ（Ｆ１）の無線チャネルを利用し、リンクＬｂが同Ｆ２の無線チャネルを利用し、リンクＬｃが同Ｆ５の無線チャネルを利用している状況下では、空きＦＩＤが３つのみ（Ｆ４，Ｆ５，Ｆ６）となる。したがって、ノードＢの各リンクＬｄ，Ｌｅ，Ｌｆがそれぞれ、ＦＩＤがＦ２，Ｆ３，Ｆ４の無線チャネルを利用していれば、Ｆ５，Ｆ６がノードＡ，Ｂに共通する空きスロットとなるので、この空きスロットＦ５，Ｆ６のいずれかを利用して、無線チャネルを新規に確立することができる。
【００４０】
しかしながら、ノードＢの各リンクＬｄ，Ｌｅ，Ｌｆがそれぞれ、図１１に示したように、ＦＩＤがＦ４，Ｆ５，Ｆ６の無線チャネルを利用していれば、ノードＡ，Ｂに共通する空きスロットが存在しないので、ノードＡ，Ｂに無線リンクを新規に立ち上げることが物理的に不可能となる。すなわち、利用可能なＦＩＤ数Ｎが、Ｇｍａｘ（ここでは、「４」）から「１」だけ減じた値の２倍（ここでは、「６」）以下であると、無線リンクを新規に立ち上げることが物理的に不可能な場合がある。
【００４１】
これに対して、利用可能なＦＩＤ数Ｎが前記「条件１」を満足し、Ｇｍａｘから「１」だけ減じた値の２倍よりも大きい「７」以上であれば、少なくとも一つのＦＩＤが空きスロットとなるので、無線リンクを新規に立ち上げることが物理的には可能になる。
【００４２】
そこで、本実施形態では「条件１」として上式（１）を定め、この「条件１」が成立しないときには、その後の処理を全て中断するようにしている。
【００４３】
ステップＳ２では、前記「条件１」が満足されていることを前提として、さらに別の観点から、ノードＡ，Ｂ間に新規に無線チャネルを立ち上げられる「条件２」が整っているか否かが判断される。
【００４４】
すなわち、一つのリンクに複数のチャネルが張られている場合には、上記第１条件が成立していても、未割当のＦＩＤが不足してしまう場合がある。一方、このような場合であっても、複数のチャネルが張られているリンクに関しては、少なくとも一つのチャネルを残せば他のチャネルを削除しても当該リンクは保持され、削除したチャネルで利用されていたＦＩＤを未割当として活用できる。
【００４５】
このような観点から、本実施形態では、いずれのリンクにも割り当てられていない未割当のＦＩＤ数を「ｆ」、チャネル数が「１」のリンクに割り当てられているＦＩＤ数を「ｋ」としたとき、次式（２）で表される条件が成立しているか否かが判定される。
【００４６】
ｆ＞ｋ  …  （２）
【００４７】
すなわち、上記した実施形態では、対向する２つのノードＡ，Ｂ間に無線チャネルが確実に確立されるためには、送信ノードにおける未割当スロット数「ｆｓ」が、対向する受信ノードにおいてチャネル数が「１」のリンクに割り当てられているチャネルで利用されているスロット数「ｋｒ」よりも大きければ良い。すなわち、ｆｓ＞ｋｒが成立すれば良い。
【００４８】
ここで、ノードＡの未割当スロット数を「ｆ１」、ノードＡにおいてチャネル数が「１」のリンクに割り当てられているチャネルで利用されているスロット数を「ｋ１」とする。同様に、ノードＢの未割当スロット数を「ｆ２」、ノードＢにおいてチャネル数が「１」のリンクに割り当てられているチャネルで利用されているスロット数を「ｋ２」とする。
【００４９】
ここで、ノードＡ，Ｂのいずれもが前記「条件２」を満足（ｆ１＞ｋ１かつｆ２＞ｋ２）すれば、ｋ１＝ｋ２ならばｆ１＞ｋ２が成立するので、ノードＡが送信ノードとして動作するタイミングでチャネル接続が可能であり、同様に、ｆ２＞ｋ１が成立するので、ノードＢが送信ノードとして動作するタイミングでもチャネル接続が可能となる。
【００５０】
また、ｋ１＞ｋ２であればｆ１＞ｋ１＞ｋ２であってｆ１＞ｋ２が成立するので、ノードＡが送信ノードとして動作するタイミングでチャネル接続が可能である。これとは逆に、ｋ２＞ｋ１であれば、ｆ２＞ｋ２＞ｋ１であってｆ２＞ｋ１が成立するので、ノードＢが送信ノードとして動作するタイミングでチャネル接続が可能となる。このように、本実施形態ではノードＡ，Ｂのいずれもが前記「条件２」を満足すればチャネルの新規立ち上げが可能になる。
【００５１】
そして、「条件２」が成立すれば、そのまま次のステップ（図４のステップＳ２）へ進む。「条件２」が成立しなければステップＳ１０３へ進み、未割当ＦＩＤ数「ｆ」を増やして前記「条件２」を満足させるべく、複数のチャネルを含むリンクから少なくとも一つのチャネルを残して他のチャネルを削除する「削除処理」が実行される。
【００５２】
このように、本実施形態によれば、各無線ノードが送信ノードまたは受信ノードとしてランダムに動作すると共に、送信ノードとして動作する無線ノードは、予約されている複数のＦＩＤを切り換えながらユニークワードＵＷを繰り返し送信する一方、受信ノードとして動作する無線ノードも、予約されている複数のＦＩＤを切り換えながらユニークワードＵＷの受信に備える。このため、対向する無線ノード同士が、同一のＦＩＤで一方が送信ノード、他方が受信ノードで動作するタイミングが確率的に存在し、当該タイミングが訪れれば対向ノード間でネゴシエーションを行って無線チャネルの同期を確立できるようになる。したがって、対向するノードとの間に無線チャネルを新規に立ち上げて無線リンクを新規に確立する場合であっても、ＴＤＤバウンダリやＦＩＤを意識することなく、ノードにリンク立ち上げの指示を出すだけ良い。
【００５３】
【発明の効果】
本発明によれば、以下のような効果が達成される。
（１）リンク確立専用のＦＩＤを確保したり、あるいは対向ノード間で事前にリンク確立時のＦＩＤに関する取り決め等を行うことなく、各ノードにリンク立ち上げの指示を出すだけで対向ノードとの間にＴＤＤ方式の無線リンクを新規に確立できるようになる。
（２）ユニークワードを検知した受信ノードが、応答信号の出力を所定の規則に従って停止し、その後、再開するようにしたので、送信ノードでは、受信した応答信号が所定の規則に従って停止され、その後、再開されたか否かに基づいて、当該応答信号が正規の受信ノードから送信されたものであるか否かを簡単に識別できるようになる。
（３）複数のチャネルを含むリンクが存在する場合には、その一部を削除してＦＩＤを確保するようにしたので、未割当のＦＩＤが少ない場合でも無線リンクを高い確率で、あるいは短時間で立ち上げられるようになる。
（４）対向ノード間に無線リンクが新規に確立されると、各ノードがノードＩＤを交換するようにしたので、その後、当該リンクが何らかの理由で断たれた場合でも、リンクを再確立する際に相手ノードの確認が容易になる。
【図面の簡単な説明】
【図１】本発明が適用される無線ネットワークの構成を示した図である。
【図２】各無線ノードの主要部の構成を示したブロック図である。
【図３】本発明が適湯されるネットワークの最小構成を示した図である。
【図４】本実施形態の動作を示したフローチャート（その１）である。
【図５】本実施形態の動作を示したフローチャート（その２）である。
【図６】本実施形態の動作を示したフローチャート（その３）である。
【図７】本実施形態の動作を示したタイミングチャートである。
【図８】デフォルト周波数プランの一例を示した図である。
【図９】イニシャル処理の動作を示したフローチャートである。
【図１０】リンク確立のための第１条件を説明するための図である。
【図１１】リンク確立のための第２条件を説明するための図である。
【符号の説明】２…屋外無線装置，３…屋内無線装置，３１…スイッチ，３２…無線チャネルマネージャ，３３…無線リンク制御装置
【図１】
2004266488.tif 000003
【図２】
2004266488.tif 000004
【図３】
2004266488.tif 000005
【図４】
2004266488.tif 000006
【図５】
2004266488.tif 000007
【図６】
2004266488.tif 000008
【図７】
2004266488.tif 000009
【図８】
2004266488.tif 000010
【図９】
2004266488.tif 000011
【図１０】
2004266488.tif 000012
【図１１】
2004266488.tif 000013